(57)【要約】【課題】  簡易な構成により通信接続でき、さらに、セキュリティ性を確保することができる携帯型記録装置を提供すること。【解決手段】  本発明にかかる携帯型記録装置は、モード情報及び登録機器情報と、モード情報及び登録機器情報とに基づいて、データ記録手段２２０に記憶されたデータの制御をするデータ管理手段２１０とを備え、データ管理手段２１０は、モード情報が通常モードである場合、又は、モード情報が外出モードであり、かつ、アクセスした接続要求機器１１０が登録されている機器である場合には、データ記録手段２２０に記憶された全てのデータについて読み出し可能とし、モード情報が外出モードであり、かつ、アクセスした接続要求機器１１０が登録されていない場合には、予め読み込み可能として設定されたパブリックエリア２２２２のデータのみ読み出しを可能とするものである。【選択図】  図２
2005141464.tif 000002
【特許請求の範囲】
【請求項１】
他の通信機器によってアクセスされ、データの読み出し及び書き込みが可能な携帯型記録装置であって、
前記通信機器によって読み出され、また書き込まれるデータを記憶する第１の記録手段と、
通常モードと外出モードを含むモード情報及び登録機器情報を記憶する第２の記録手段と、
前記第２の記録手段に設定されたモード情報及び登録機器情報とに基づいて、前記第１の記録手段に記憶されたデータの読み出し若しくは前記第１の記録手段への書き込みを制御するデータ管理手段とを備え、
前記データ管理手段は、
前記モード情報が通常モードである場合、又は、前記モード情報が外出モードであり、かつ、アクセスした通信機器が登録されている機器である場合には、前記第１の記録手段に記憶された全てのデータについて読み出し可能とし、
前記モード情報が外出モードであり、かつ、アクセスした通信機器が登録されていない場合には、予め読み込み可能として設定されたパブリックエリアのデータのみ読み出しを可能とする携帯型記録装置。
【請求項２】
他の通信機器によってアクセスされ、データの読み出し及び書き込みが可能な携帯型記録装置であって、
前記通信機器によって読み出され、また書き込まれるデータを記憶する第１の記録手段と、
通常モードと外出モードを含むモード情報及び登録機器情報を記憶する第２の記録手段と、
前記第２の記録手段に設定されたモード情報及び登録機器情報とに基づいて、前記第１の記録手段に記憶されたデータの読み出し若しくは前記第１の記録手段への書き込みを制御するデータ管理手段とを備え、
前記データ管理手段は、
前記モード情報が通常モードである場合、又は、前記モード情報が外出モードであり、かつ、アクセスした通信機器が登録されている機器である場合には、前記第１の記録手段に対してデータの書き込み可能とし、
前記モード情報が外出モードであり、かつ、アクセスした通信機器が登録されていない場合には、予め書き込み可能として設定されたテンポラリエリアに対してのみ書き込みを可能とする携帯型記録装置。
【請求項３】
他の通信機器によってアクセスされ、データの読み出し及び書き込みが可能な携帯型記録装置であって、
前記通信機器によって読み出され、また書き込まれるデータを記憶する第１の記録手段と、
通常モードと外出モードを含むモード情報及び登録機器情報を記憶する第２の記録手段と、
前記第２の記録手段に設定されたモード情報及び登録機器情報とに基づいて、前記第１の記録手段に記憶されたデータの読み出し若しくは前記第１の記録手段への書き込みを制御するデータ管理手段とを備え、
前記データ管理手段は、
前記モード情報が通常モードである場合、又は、前記モード情報が外出モードであり、かつ、アクセスした通信機器が登録されている機器である場合には、前記第１の記録手段に記憶された全てのデータについて読み出し可能とすると共に、前記第１の記録手段に対してデータの書き込み可能とし、
前記モード情報が外出モードであり、かつ、アクセスした通信機器が登録されていない場合には、予め読み込み可能として設定されたパブリックエリアのデータのみ読み出しを可能とすると共に、予め書き込み可能として設定されたテンポラリエリアに対してのみ書き込みを可能とする携帯型記録装置。
【請求項４】
前記データ管理手段は、
前記モード情報が通常モードである場合、又は、外出モードであり、かつ、アクセスした通信機器が登録されている場合には、前記パブリックエリアと前記テンポラリエリア間におけるデータの移動を可能とし、
前記モード情報が外出モードであり、かつ、アクセスした通信機器が登録されていない場合には、前記パブリックエリアと前記テンポラリエリア間におけるデータの移動を禁止する請求項３記載の携帯型記録装置。
【請求項５】
前記第２の記録手段に設定されたモード情報及び登録機器情報とに基づいて、前記通信機器とパスワード認証を行なうか否かを決定し、パスワード認証を制御する接続制御手段をさらに備え、
当該接続制御手段は、
前記第２の記録手段に設定されたモード情報が通常モードである場合、又は当該モード情報が通常モードであってかつアクセスした通信機器が登録されている機器である場合には、前記パスワード認証を行って接続可能とし、
前記モード情報が外出モードであり、かつアクセスした通信機器が登録されていない機器である場合には、前記パスワード認証を行わずに接続可能とする請求項１乃至４いずれかに記載の携帯型記録装置。
【請求項６】
前記第２の記憶手段に記憶された登録機器情報の登録を行なう機器登録手段をさらに備え、
当該機器登録手段は、
前記モード情報が通常モードである場合、又は、外出モードであり、かつ、アクセスした通信機器が登録されている場合には、登録機器情報の登録を可能とし、
前記モード情報が外出モードであり、かつ、アクセスした通信機器が登録されていない場合には、登録機器情報の登録を禁止する請求項１乃至５いずれかに記載の携帯型記録装置。
【請求項７】
前記第２の記憶手段に記憶されたモード情報の設定を行なうモード制御手段をさらに備え、
当該モード制御手段は、
前記モード情報が通常モードである場合、又は、外出モードであり、かつ、アクセスした通信機器が登録されている場合には、モード情報の設定を可能とし、
前記モード情報が外出モードであり、かつ、アクセスした通信機器が登録されていない場合には、モード情報の設定を禁止する請求項１乃至６いずれかに記載の携帯型記録装置。
【発明の詳細な説明】
【技術分野】
【０００１】
本発明は、無線通信を行って、他の機器からデータの読み出し、書き込みを行う携帯型記録装置に関する。
【背景技術】
【０００２】
近年、情報技術・通信技術の発達に伴って、あらゆる電子機器が無線通信により接続されるようになった。他の機器との間で無線通信可能な電子機器（以下、無線通信機器という）は、機器同士のケーブル接続が不要であり自由に持ち運ぶことができるため、家庭内や、オフィス内、屋外等、様々な場所に移動し利用されている。このような任意の場所においては、セキュリティ性の確保がより重要である。
【０００３】
無線通信機器は、意図しない無線通信機器から接続されることを避けるために、互いに同じパスワードを入力しないと接続できないことが一般的である。しかし無線通信機器の中には、デジタルカメラやプリンタなどのように、パスワード入力に必要なキーを持たないものも存在する。こうした機器においては、あらかじめプリセットされた固定パスワードを用いている。
【０００４】
例えば、無線通信機能を有するポータブル記録装置（以下、携帯型記録装置という）が、固定パスワードを用いる機器と無線通信を行いたい場合には、携帯型記録装置側で前記固定パスワードと同じ値を設定する手段を設けるか、接続時にパスワードによる認証を行わずに接続を行う必要があった。携帯型記録装置は、記録されているデータを表示するためのビューワなどの表示手段は持っていないため、単にデータの置き場所として機能すれば良く、本来入力キーは不要であり、パスワード入力のためにキーを設けることはコストアップにつながり、ユーザにも不便であるという問題があった。また、接続時にパスワード認証を行わなければ、意図しない機器からデータヘアクセスされてしまうという問題があった。
【０００５】
尚、携帯情報端末におけるセキュリティ制御方法として特許文献１が知られている。
【特許文献１】特開平１１−１８４７５６号公報
【発明の開示】
【発明が解決しようとする課題】
【０００６】
このように、従来の携帯型記録装置では、パスワード認証により通信接続すると、入力キーやユーザの入力操作が必要であり、また、パスワード認証せずに通信接続するとセキュリティ性が確保できないという問題点があった。
【０００７】
本発明は、このような問題点を解決するためになされたもので、簡易な構成により通信接続でき、さらに、セキュリティ性を確保することができる携帯型記録装置を提供することを目的とする。
【課題を解決するための手段】
【０００８】
本発明にかかる携帯型記録装置は、他の通信機器によってアクセスされ、データの読み出し及び書き込みが可能な携帯型記録装置であって、前記通信機器によって読み出され、また書き込まれるデータを記憶する第１の記録手段と、通常モードと外出モードを含むモード情報及び登録機器情報を記憶する第２の記録手段と、前記第２の記録手段に設定されたモード情報及び登録機器情報とに基づいて、前記第１の記録手段に記憶されたデータの読み出し若しくは前記第１の記録手段への書き込みを制御するデータ管理手段とを備え、前記データ管理手段は、前記モード情報が通常モードである場合、又は、前記モード情報が外出モードであり、かつ、アクセスした通信機器が登録されている機器である場合には、前記第１の記録手段に記憶された全てのデータについて読み出し可能とし、前記モード情報が外出モードであり、かつ、アクセスした通信機器が登録されていない場合には、予め読み込み可能として設定されたパブリックエリアのデータのみ読み出しを可能とするものである。これにより、データアクセスのセキュリティ性を確保することができる。
【０００９】
本発明にかかる携帯型記録装置は、他の通信機器によってアクセスされ、データの読み出し及び書き込みが可能な携帯型記録装置であって、前記通信機器によって読み出され、また書き込まれるデータを記憶する第１の記録手段と、通常モードと外出モードを含むモード情報及び登録機器情報を記憶する第２の記録手段と、前記第２の記録手段に設定されたモード情報及び登録機器情報とに基づいて、前記第１の記録手段に記憶されたデータの読み出し若しくは前記第１の記録手段への書き込みを制御するデータ管理手段とを備え、前記データ管理手段は、前記モード情報が通常モードである場合、又は、前記モード情報が外出モードであり、かつ、アクセスした通信機器が登録されている機器である場合には、前記第１の記録手段に対してデータの書き込み可能とし、前記モード情報が外出モードであり、かつ、アクセスした通信機器が登録されていない場合には、予め書き込み可能として設定されたテンポラリエリアに対してのみ書き込みを可能とするものである。これにより、データアクセスのセキュリティ性を確保することができる。
【００１０】
本発明にかかる携帯型記録装置は、他の通信機器によってアクセスされ、データの読み出し及び書き込みが可能な携帯型記録装置であって、前記通信機器によって読み出され、また書き込まれるデータを記憶する第１の記録手段と、通常モードと外出モードを含むモード情報及び登録機器情報を記憶する第２の記録手段と、前記第２の記録手段に設定されたモード情報及び登録機器情報とに基づいて、前記第１の記録手段に記憶されたデータの読み出し若しくは前記第１の記録手段への書き込みを制御するデータ管理手段とを備え、前記データ管理手段は、前記モード情報が通常モードである場合、又は、前記モード情報が外出モードであり、かつ、アクセスした通信機器が登録されている機器である場合には、前記第１の記録手段に記憶された全てのデータについて読み出し可能とすると共に、前記第１の記録手段に対してデータの書き込み可能とし、前記モード情報が外出モードであり、かつ、アクセスした通信機器が登録されていない場合には、予め読み込み可能として設定されたパブリックエリアのデータのみ読み出しを可能とすると共に、予め書き込み可能として設定されたテンポラリエリアに対してのみ書き込みを可能とするものである。これにより、データアクセスのセキュリティ性を確保することができる。
【００１１】
上述の携帯型記録装置において、前記データ管理手段は、前記モード情報が通常モードである場合、又は、外出モードであり、かつ、アクセスした通信機器が登録されている場合には、前記パブリックエリアと前記テンポラリエリア間におけるデータの移動を可能とし、前記モード情報が外出モードであり、かつ、アクセスした通信機器が登録されていない場合には、前記パブリックエリアと前記テンポラリエリア間におけるデータの移動を禁止してもよい。これにより、データアクセスのセキュリティ性をより向上することができる。
【００１２】
上述の携帯型記録装置において、前記第２の記録手段に設定されたモード情報及び登録機器情報とに基づいて、前記通信機器とパスワード認証を行なうか否かを決定し、パスワード認証を制御する接続制御手段をさらに備え、当該接続制御手段は、前記第２の記録手段に設定されたモード情報が通常モードである場合、又は当該モード情報が通常モードであってかつアクセスした通信機器が登録されている機器である場合には、前記パスワード認証を行って接続可能とし、前記モード情報が外出モードであり、かつアクセスした通信機器が登録されていない機器である場合には、前記パスワード認証を行わずに接続可能としてもよい。これにより、簡易な構成により通信接続でき、さらに、通信接続のセキュリティ性を確保できるため、データアクセスのセキュリティ性をさらに向上することができる。
【００１３】
上述の携帯型記録装置において、前記第２の記憶手段に記憶された登録機器情報の登録を行なう機器登録手段をさらに備え、当該機器登録手段は、前記モード情報が通常モードである場合、又は、外出モードであり、かつ、アクセスした通信機器が登録されている場合には、登録機器情報の登録を可能とし、前記モード情報が外出モードであり、かつ、アクセスした通信機器が登録されていない場合には、登録機器情報の登録を禁止してもよい。これにより、機器登録のセキュリティ性を確保できるため、データアクセスのセキュリティ性をさらに向上することができる。
【００１４】
上述の携帯型記録装置において、前記第２の記憶手段に記憶されたモード情報の設定を行なうモード制御手段をさらに備え、当該モード制御手段は、前記モード情報が通常モードである場合、又は、外出モードであり、かつ、アクセスした通信機器が登録されている場合には、モード情報の設定を可能とし、前記モード情報が外出モードであり、かつ、アクセスした通信機器が登録されていない場合には、モード情報の設定を禁止してもよい。これにより、モード切替えのセキュリティ性を確保できるため、データアクセスのセキュリティ性をさらに向上することができる。
【発明の効果】
【００１５】
本発明によれば、簡易な構成により通信接続でき、さらに、セキュリティ性を確保することができる携帯型記録装置を提供することができる。
【発明を実施するための最良の形態】
【００１６】
発明の実施の形態１．
まず、図１を用いて、本発明の実施の形態１にかかる通信システムの構成について説明する。この通信システムは、図に示されるように、携帯型記録装置１００及び接続要求機器１１０から構成されている。携帯型記録装置１００と接続要求機器１１０の間は、Ｂｌｕｅｔｏｏｔｈ（登録商標）等の近距離無線通信により接続することができる。また、接続要求機器１１０を複数台として、複数台の接続要求機器１１０と携帯型記録装置１００間で無線通信してもよい。
【００１７】
例えば、接続要求機器１１０が、携帯型記録装置１００へ接続要求を送信し、携帯型記録装置１００が、当該接続要求に対して認証等を行い、接続応答を接続要求機器１１０へ送信して、無線通信の接続リンクが確立する。接続リンクが確立すると、接続要求機器１１０は、携帯型記録装置１００に対し任意のデータの書き込みや読み出し等のアクセスを行うことができる。
【００１８】
携帯型記録装置１００は、図に示されるように、制御部１０１、電源供給部１０２、近距離無線通信部１０３及び状態表示部１０４から構成されている。例えば、携帯型記録装置１００は、持ち運び可能な小型の記録装置であり、任意の場所において、接続要求機器１１０と接続し、データの共有や交換等に利用することができる。
【００１９】
制御部１０１は、後述するように、データ管理手段２１０や接続制御手段２５０等を備えており、例えば、接続要求機器１１０から受信した接続要求に応じて通信接続したり、データ書き込み要求に応じて当該データを書き込む等の処理を行う。
【００２０】
電源供給部１０２は、携帯型記録装置１００の全体に電源を供給する電源であり、例えば、乾電池やボタン電池などの一次電池、リチウムイオン電池などの二次電池、太陽電池と二次電池との組み合わせなど、持ち運べるものであれば、その方式は問わない。また、携帯型記録装置１００と独立した他の装置から電源を供給してもよい。
【００２１】
近距離無線通信部１０３は、接続要求機器１１０との無線通信を可能にするものであり、例えば、無線通信モジュールやアンテナ等を備えている。通信方式については、Ｂｌｕｅｔｏｏｔｈのほか、赤外線や無線ＬＡＮなど無線で通信できるものであればその方式は問わない。
【００２２】
状態表示部１０４は、携帯型記録装置１００のステイタスを表示するものであり、例えば、ＬＥＤや小型の液晶などである。表示されるステイタスには、例えば、通信中、データ書き込み中、各種障害などがある。
【００２３】
接続要求機器１１０は、携帯型記録装置１００に対し、接続要求を送信し通信接続したり、データの書き込みや読み出しの要求を送信するものであり、例えば、パーソナルコンピュータや、携帯情報端末、携帯電話等である。
【００２４】
次に、図２を用いて、本実施形態にかかる携帯型記録装置１００に設けられた制御部１０１の構成について説明する。
【００２５】
制御部１０１は、図に示されるように、データ管理手段２１０、データ記録手段２２０、機器登録手段２３０、モード制御手段２４０、接続制御手段２５０及びアクセス記録手段２６０を備えている。
【００２６】
データ管理手段２１０は、例えば、データ記録手段２２０及びアクセス記録手段２６０に接続されており、データ記録手段２２０へのデータの書き込みや読み出しの制御を行う。例えば、データ管理手段２１０は、接続要求機器１１０から、データの書き込みや読み出し要求を受け付け、当該接続要求機器１１０が、アクセス記録手段２６０の登録機器テーブル２６１に登録されている機器かどうかによって、データ記録手段２２０のデータエリア２２２へのアクセス条件を制御する。また、データ管理手段２１０は、データ記録手段２２０の管理テーブル２２１に記録した内容を元に各データの制御を行う。
【００２７】
データ記録手段２２０は、例えば、データ管理手段２１０と接続されており、管理テーブル２２１及びデータエリア２２２を有している。データ記録手段２２０は、接続要求機器１１０から書き込みの要求があったデータを記録する記録メディアであり、例えば、小型ＨＤＤ（Hard Disk Drive）のほか、メモリーカード等に代表される取り外し可能なメディアでも構わない。また、データ記録手段２２０に記録されるデータは、文字データのほか、音声・音楽データや画像など、そのフォーマットは規定しない。
【００２８】
管理テーブル２２１には、データエリア２２２に記録されるデータの管理情報が格納されており、それぞれのデータに対する識別子と、そのデータのエリア属性、データサイズとデータ本体が記録されている格納アドレスから構成される。識別子はデータエリア２２２のデータの中で一意な値であり、エリア属性はテンポラリエリア２２２１又はパブリックエリア２２２２を示す属性である。
【００２９】
データエリア２２２は、接続要求機器１１０から書き込みの要求があったデータを実際に記録するエリアであり、非登録機器でも読み出し可能なパブリックエリア２２２２と、非登録機器は追加書き込みのみ可能なテンポラリエリア２２２１に論理的に分割されている。また、データエリア２２２は、パブリックエリア２２２２又はテンポラリエリア２２２１のいずれか一方のみでもよい。後述するように登録機器や通常モードでは、パブリックエリア２２２２及びテンポラリエリア２２２１の両方について、データの書き込みや読み出しが可能である。
【００３０】
機器登録手段２３０は、例えば、アクセス記録手段２６０と接続されており、アクセス記録手段２６０の登録機器テーブル２６１へ、接続要求機器１１０の機器識別子を登録する。例えば、機器登録手段２３０は、無線接続した接続要求機器１１０からの機器登録コマンドを受け付け、当該機器登録コマンドで指定された機器識別子をアクセス記録手段２６０の登録機器テーブル２６１に登録する。また、後述するように機器識別子の登録は、通常モードの場合、もしくは外出モードでかつ接続要求機器１１０の機器識別子が登録されている場合にのみ可能である。
【００３１】
モード制御手段２４０は、例えば、アクセス記録手段２６０と接続されており、アクセス記録手段２６０のモード情報２６２の変更（以下、モード切替えともいう）を行う。例えば、モード制御手段２４０は、無線接続した接続要求機器１１０からのモード変更コマンドを受け付け、当該モード変更コマンドで指定されたモードをアクセス記録手段２６０のモード情報２６２に記録する。また、モード切替えは、登録機器テーブル２６１に機器識別子が登録されている機器のみ可能である。尚、モード切替えは、接続要求機器１１０からの要求により行われる他、例えば、携帯型記録装置１００にモード切替え用のボタンを備え、このボタンが押下されることにより、モードを切替えてもよい。このボタンは、誰でも容易に押下できないように、かくしボタンであることが好ましい。
【００３２】
接続制御手段２５０は、例えば、アクセス記録手段２６０と接続されており、接続要求機器１１０との無線接続や認証等の制御を行う。例えば、接続制御手段２５０は、接続要求機器１１０との接続において、現在の動作モードによってパスワード認証の有無を切替える機能を有する。後述するように、通常モードでは認証を行い、外出モードでは、登録機器テーブルに登録されている機器である場合のみ認証を行い、非登録機器の場合は認証を行わずに接続リンクを確立する。
【００３３】
アクセス記録手段２６０は、例えば、データ管理手段２１０、機器登録手段２３０、モード制御手段２４０及び接続制御手段２５０と接続されており、登録機器テーブル２６１、モード情報２６２、パスワード情報２６３を有している。アクセス記録手段２６０は、機器登録手段２３０やモード制御手段２４０等からの要求に応じて各情報を格納する記録媒体であり、例えば、不揮発性メモリ、ＲＡＭ等である。
【００３４】
登録機器テーブル２６１は、接続要求機器１１０の機器識別子を格納している。尚、登録機器テーブル２６１に、機器識別子が登録されている接続要求機器１１０を登録機器といい、登録機器テーブル２６１に、機器識別子が登録されていない接続要求機器１１０を非登録機器という。
【００３５】
モード情報２６２は、装置の動作モードを格納しており、動作モードには、外出モードと通常モードがある。後述するように、この動作モードにより、通信接続時のパスワード認証や、機器の登録、モード切替え、データアクセスの可・不可が決定される。
【００３６】
パスワード情報２６３は、携帯型記録装置１００の固定パスワードが格納されている。例えば、接続制御手段２５０において、通信接続時にパスワード認証を行う場合に、この固定パスワードが参照される。また、固定パスワードは、変更しなくてもよいため、例えば、ＲＯＭに格納されてもよい。
【００３７】
【表１】
2005141464.tif 000003
ここで、表１を用いて、携帯型記録装置１００の各動作モードにおける、各処理やデータアクセスの可・不可について説明する。
【００３８】
接続要求機器１１０との通信接続時のパスワード認証については、外出モードかつ非登録機器の場合、パスワード認証を行わず、外出モードかつ登録機器の場合及び通常モードの場合、パスワード認証を行い接続する。
【００３９】
接続要求機器１１０の機器識別子の登録については、外出モードかつ非登録機器の場合、登録不可であり、通常モードの場合及び外出モードかつ登録機器の場合、登録可能である。
【００４０】
携帯型記録装置１００のモード切替えについては、外出モードかつ非登録機器の場合、切替え不可であり、外出モードかつ登録機器の場合及び通常モードの場合、切替え可能である。
【００４１】
携帯型記録装置１００のパブリックエリア２２２２へのデータアクセスについては、外出モードかつ非登録機器の場合、読み出しのみ可であり、外出モードかつ登録機器の場合及び通常モードの場合、読み出し、書き込み、上書き、削除が可能である。また、外出モードかつ非登録機器における、読み出しのみ可の制限には、さらに他の制限、例えば、読み出すデータの量についての制限等を加えてもよい。
【００４２】
携帯型記録装置１００のテンポラリエリア２２２１へのデータアクセスについては、外出モードかつ非登録機器の場合、書き込みのみ可であり、外出モードかつ登録機器の場合及び通常モードの場合、読み出し、書き込み、上書き、削除が可能である。また、外出モードかつ非登録機器における、書き込み可の制限には、さらに他の制限、例えば、書き込むデータの量についての制限等を加えてもよい。これにより、悪意のあるプログラム等の書き込みを防ぐことができ、よりセキュリティ性を向上できる。
【００４３】
携帯型記録装置１００のパブリックエリアとテンポラリエリア間のデータの移動については、外出モードかつ非登録機器の場合、移動不可であり、外出モードかつ登録機器の場合及び通常モードの場合、移動可能である。
【００４４】
続いて、図３のシーケンスを用いて、本実施形態にかかる通常モードにおける接続処理について説明する。
【００４５】
通常モードは、パスワードによる接続認証処理を行い、パスワードが一致しない機器とは接続リンクを確立しないモードである。表１に示したように、通常モードにおいては、機器の登録、モードの移行、パブリックエリア２２２２とテンポラリエリア２２２１のデータへのフルアクセス、データのエリア移動といった携帯型記録装置１００のすべての機能が利用可能となる。
【００４６】
まず、接続要求機器１１０は、無線通信を行うために携帯型記録装置１００へ接続要求を送信する（Ｓ３０１）。この処理は、例えば、接続要求機器１１０に設けられた接続開始ボタン等を押下することにより行われる。
【００４７】
次に、携帯型記録装置１００は、接続要求機器１１０から接続要求を受信すると、モード情報２６２を照会する（Ｓ３０２）。この処理では、例えば、近距離無線通信部１０３において、接続要求機器１１０からの接続要求の信号を受信し、当該接続要求に含まれる接続要求機器１１０の機器識別子等を制御部１０１内の接続制御手段２５０へ出力し、接続制御手段２５０において、アクセス記録手段２６０内のモード情報２６２を参照し、モード情報２６２が、通常モードか外出モードかを判定する。
【００４８】
Ｓ３０２において、モード情報２６２が通常モードの場合、接続認証を行うため接続要求機器１１０へパスワード要求を送信する（Ｓ３０３）。この処理では、例えば、近距離無線通信部１０３において、パスワード要求の信号を生成し、当該信号を接続要求機器１１０へ送信する。
【００４９】
次に、接続要求機器１１０は、携帯型記録装置１００からのパスワード要求に対し、携帯型記録装置１００へパスワードを送信する（Ｓ３０４）。この処理では、例えば、接続要求機器１１０にあらかじめ記憶されている固定パスワードを送信してもよいし、ユーザによって入力されたパスワードを送信してもよい。
【００５０】
次に、携帯型記録装置１００は、接続要求機器１１０からパスワードを受信すると、当該受信したパスワードと、携帯型記録装置１００に記録されたパスワード情報２６３を照合する（Ｓ３０５）。この処理では、例えば、近距離無線通信部１０３において、接続要求機器１１０からパスワードの信号を受信し、当該パスワードを接続制御手段２５０へ出力し、接続制御手段２５０において、アクセス記録手段２６０内のパスワード情報２６３を参照し、接続要求機器１１０から受信したパスワードとパスワード情報２６３を比較し合致するかどうか判定する。
【００５１】
Ｓ３０５において、パスワードが合致しなかった場合には、携帯型記録装置１００は、接続拒絶を接続要求機器１１０へ送信し、接続リンクは確立されない（Ｓ３０６’）。この処理では、例えば、近距離無線通信部１０３において接続拒絶の信号を生成し、当該信号を接続要求機器１１０へ送信する。
【００５２】
Ｓ３０５において、パスワードが合致した場合には、携帯型記録装置１００は、接続応答を接続要求機器１１０へ送信する（Ｓ３０６）。この処理では、例えば、近距離無線通信部１０３において接続応答の信号を生成し、当該信号を接続要求機器１１０へ送信する。その後、携帯型記録装置１００と接続要求機器１１０間の接続リンクが確立し、通信可能となる。
【００５３】
こうして、通常モードにおいて、携帯型記録装置１００に入力手段を設けずに、パスワードによる認証を用いた通信接続することができる。
【００５４】
続いて、図４のシーケンスを用いて、本実施形態にかかる外出モードにおける接続処理について説明する。この処理は、接続要求機器１１０が登録機器の場合の処理である。
【００５５】
外出モードは、あらかじめ登録された機器とはパスワードによる接続認証を行い、それ以外の機器とは接続認証を行わないモードである。また、外出モードにおいて、登録機器は通常モードと同様に、携帯型記録装置のすべての機能が利用可能となる。非登録機器については、パブリックエリア２２２２のデータの読み出しと、テンポラリエリア２２２１へのデータの書き込みのみが利用可能となる。このデータアクセス制限は、後述の方法でデータ管理手段が行う。
【００５６】
Ｓ４０１及びＳ４０２は、Ｓ３０１及びＳ３０２と、Ｓ４０４乃至Ｓ４０７は、Ｓ３０３乃至Ｓ３０６と同様のため、簡単に説明する。
【００５７】
まず、接続要求機器１１０は、携帯型記録装置１００へ接続要求を送信し（Ｓ４０１）、携帯型記録装置１００は、当該接続要求を受信すると、モード情報２６２を照会する（Ｓ４０２）。
【００５８】
Ｓ４０２において、モード情報が外出モードの場合、登録機器に対してのみ接続認証を行うため、登録機器テーブル２６１を照会する（Ｓ４０３）。この処理では、例えば、接続制御手段２５０において、アクセス記録手段２６０内の登録機器テーブル２６１を検索し、Ｓ４０１の接続要求に含まれている機器識別子が存在しているかどうか判定する。当該機器識別子が存在していれば、登録機器と判定し、当該機器識別子が存在していなければ、非登録機器と判定する。
【００５９】
Ｓ４０３において、接続要求機器１１０が登録機器と判定された場合、携帯型記録装置１００は、接続要求機器１１０へパスワード要求を送信し（Ｓ４０４）、接続要求機器１１０は、当該パスワード要求に対し、携帯型記録装置１００へパスワードを送信する（Ｓ４０５）。そして、携帯型記録装置１００は、パスワード情報２６３を照会し、接続要求機器１１０から受信したパスワードと比較する（Ｓ４０６）。
【００６０】
Ｓ４０６において、パスワードが合致しなかった場合には、携帯型記録装置１００は、接続拒絶を接続要求機器１１０へ送信し、接続リンクは確立されない（Ｓ４０７’）。また、Ｓ４０６において、パスワードが合致した場合には、携帯型記録装置１００は、接続応答を接続要求機器１１０へ送信し、接続リンクを確立する（Ｓ４０７）。
【００６１】
こうして、外出モードにおいて、接続要求機器１１０が登録機器の場合、携帯型記録装置１００に入力手段を設けずに、パスワードによる認証を用いた通信接続することができる。
【００６２】
続いて、図５のシーケンスを用いて、本実施形態にかかる外出モードにおける接続処理について説明する。この処理は、接続要求機器１１０が非登録機器の場合の処理である。
【００６３】
Ｓ５０１及びＳ５０３は、Ｓ４０１及びＳ４０３と、Ｓ５０４は、Ｓ４０７と同様のため、簡単に説明する。
【００６４】
まず、接続要求機器１１０は、携帯型記録装置１００へ接続要求を送信し（Ｓ５０１）、携帯型記録装置１００は、当該接続要求を受信すると、モード情報２６２を照会する（Ｓ５０２）。Ｓ５０２において、モード情報が外出モードの場合、登録機器テーブル２６１を照会する（Ｓ５０３）。Ｓ５０３において、接続要求機器１１０が非登録機器と判定された場合、パスワード認証を行わずに、接続応答を接続要求機器１１０へ送信し、接続リンクを確立する（Ｓ５０４）。
【００６５】
こうして、外出モードにおいて、接続要求機器１１０が非登録機器の場合、パスワードによる認証を用いずに、通信接続することができる。
【００６６】
続いて、図６のシーケンスを用いて、本実施形態にかかる外出モードにおけるデータアクセス制御処理について説明する。この処理は、接続要求機器１１０が、非登録機器の場合の処理である。
【００６７】
外出モードでは、非登録機器とはパスワード認証を行わずに接続リンクを確立し、パブリックエリア２２２２のデータの読み出しとテンポラリエリア２２２１のデータの書き込みのみが利用可能となる。また、図５で説明した接続シーケンスにより接続リンク確立した後、以下の各処理が行われる。
【００６８】
まず、データ検索処理（Ｓ６０１乃至Ｓ６０４）について説明する。接続要求機器１１０は、所望のデータを検索するために、携帯型記録装置１００へデータ検索要求を送信する（Ｓ６０１）。この処理は、例えば、接続要求機器１１０において、データ検索用のアプリケーションが実行されることにより行われる。
【００６９】
そして、携帯型記録装置１００は、接続要求機器１１０からデータ検索要求を受信すると、登録機器テーブル２６１を照会する（Ｓ６０２）。この処理では、例えば、近距離無線通信部１０３において、接続要求機器１１０からのデータ検索要求の信号を受信し、当該データ検索要求に含まれる接続要求機器１１０の機器識別子や検索キー等をデータ管理手段２１０へ出力する。さらに、データ管理手段２１０において、アクセス記録手段２６０内の登録機器テーブル２６１を検索し、データ検索要求に含まれている機器識別子が存在しているかどうか判定する。当該機器識別子が存在していれば、登録機器と判定し、当該機器識別子が存在していなければ、非登録機器と判定する。
【００７０】
Ｓ６０２において、接続要求機器１１０が非登録機器と判定された場合、パブリックエリア２２２２のデータのみを検索する（Ｓ６０３）。この処理は、例えば、データ管理手段２１０において、管理テーブル２２１からエリア属性がパブリックエリア２２２２であるデータを検索し、さらに、パブリックエリア２２２２のデータから検索キーの含まれるデータを検索する。検索キーは、データに含まれる情報でもよいし、データの識別子やデータサイズ等でもよい。尚、接続要求機器１１０が登録機器の場合は、パブリックエリア２２２２及びテンポラリエリア２２２１の両方を検索する。
【００７１】
その後、Ｓ６０３における検索結果を接続要求機器１１０へ送信する（Ｓ６０４）。この処理では、例えば、データ管理手段２１０において、データを検索した結果について、該当データのあり／なしや、該当データの識別子等の情報を、近距離無線通信部１０３に出力し、近距離無線通信部１０３において、データ情報の信号を生成し、当該信号を接続要求機器１１０へ送信する。
【００７２】
こうして、接続要求機器１１０が非登録機器の場合には、パブリックエリア２２２２のみのデータを検索し、テンポラリエリア２２２１にはアクセスしないようにすることができる。
【００７３】
次に、データ読み出し処理（Ｓ６０５乃至Ｓ６０８）について説明する。接続要求機器１１０は、所望のデータを読み出すために、携帯型記録装置１００へデータ読み出し要求を送信する（Ｓ６０５）。この処理は、例えば、接続要求機器１１０において、データ読み出し用のアプリケーションが実行されることにより行われる。
【００７４】
そして、接続要求機器１１０からデータ読み出し要求を受信すると、Ｓ６０２と同様に、登録機器テーブル２６１を照会する（Ｓ６０６）。Ｓ６０６において、接続要求機器１１０が非登録機器と判定された場合、Ｓ６０３と同様に、パブリックエリア２２２２のデータのみを検索する（Ｓ６０７）。
【００７５】
その後、Ｓ６０７における検索したデータを接続要求機器１１０へ送信する（Ｓ６０８）。この処理は、例えば、データ管理手段２１０において、検索した読み出し対象データの格納アドレス及びデータサイズを元にデータの読み出しを行い、該当データを、近距離無線通信部１０３に出力し、近距離無線通信部１０３において、データの信号を生成し、当該信号を接続要求機器１１０へ送信する。また、読み出し対象データの特定には、データに対する識別子を用いる。
【００７６】
こうして、接続要求機器１１０が非登録機器の場合には、パブリックエリア２２２２のみのデータを読み出し、テンポラリエリア２２２１にはアクセスしないようにすることができる。
【００７７】
次に、データ書き込み処理（Ｓ６０９乃至Ｓ６１１）について説明する。接続要求機器１１０は、所望のデータを書き込むために、携帯型記録装置１００へデータ書き込み要求を送信する（Ｓ６０９）。この処理は、例えば、接続要求機器１１０において、データ書き込み用のアプリケーションが実行されることにより行われる。
【００７８】
そして、接続要求機器１１０からデータ書き込み要求を受信すると、テンポラリエリア２２２１へデータを記録する（Ｓ６１０）。この処理では、例えば、近距離無線通信部１０３において、接続要求機器１１０からのデータ書き込み要求の信号を受信し、当該データ書き込み要求に含まれる接続要求機器１１０の機器識別子やデータ等をデータ管理手段２１０へ出力する。さらに、データ管理手段２１０において、書き込むデータのデータサイズ分の空き容量が、データ記録手段２２０中に存在するかどうかを判定し、空き容量がある場合には、すでに管理テーブル２２１に登録済みの識別子と異なる識別子を生成し、その識別子と共に、エリア属性、データサイズ、格納アドレスを管理テーブルへの追加書き込みを行う。ここで、エリア属性はテンポラリエリア２２２１とし、管理テーブル２２１への書き込みに合わせて、データをテンポラリエリア２２２１に書き込む。
【００７９】
その後、実行ステイタスを接続要求機器１１０へ送信する（Ｓ６１１）。この処理では、例えば、データ管理手段２１０において、データを書き込んだ結果について、書き込みの成功／失敗や、該当データの識別子等の情報を、近距離無線通信部１０３に出力し、近距離無線通信部１０３において、実行ステイタスの信号を生成し、当該信号を接続要求機器１１０へ送信する。
【００８０】
こうして、接続要求機器１１０が非登録機器の場合には、テンポラリエリア２２２１のみにデータを書き込み、パブリックエリア２２２２にはアクセスしないようにすることができる。
【００８１】
続いて、図７のシーケンスを用いて、本実施形態にかかる接続要求機器１１０の機器識別子の登録処理について説明する。機器識別子を登録することにより、外出モードにおいても携帯型記録装置１００の全機能を利用することができる。
【００８２】
まず、携帯型記録装置１００をはじめて使用する時のモードは通常モードである。通常モードでは、図３で説明した手順でパスワード認証を用いた接続リンクの確立が行われる。
【００８３】
接続要求機器１１０は、所望の機器識別子を登録するために、携帯型記録装置１００へ機器登録コマンドを送信する（Ｓ７０１）。この処理は、例えば、接続要求機器１１０において、はじめて使用するときに、自動的に行ってもよいし、携帯型記録装置１００の設定用のアプリケーションが実行されることにより行ってもよい。
【００８４】
そして、接続要求機器１１０から機器登録コマンドを受信すると、登録機器テーブル２６１を更新する（Ｓ７０２）。この処理では、例えば、近距離無線通信部１０３において、接続要求機器１１０からの機器登録コマンドの信号を受信し、当該機器登録コマンドに含まれる接続要求機器１１０の機器識別子を機器登録手段２３０へ出力する。さらに、機器登録手段２３０において、アクセス記録手段２６０内の登録機器テーブル２６１に、機器登録コマンドに含まれている機器識別子を登録する。尚、機器識別子の登録は、通常モードの場合、もしくは外出モードでかつ接続要求機器１１０の機器識別子が登録されている場合のみ可能とするため、携帯型記録装置１００において、機器登録コマンド受信時に、モード情報２６２を照会し、外出モードでかつ接続要求機器１１０が非登録機器であれば、機器識別子を登録しなくてもよい。
【００８５】
その後、実行ステイタスを接続要求機器１１０へ送信する（Ｓ７０３）。この処理では、例えば、機器登録手段２３０において、機器識別子を登録した結果についての成功／失敗等の情報を、近距離無線通信部１０３に出力し、近距離無線通信部１０３において、実行ステイタスの信号を生成し、当該信号を接続要求機器１１０へ送信する。
【００８６】
こうして、接続要求機器１１０から、所望の機器の機器識別子を登録することができる。また、通常モードにおいては、パスワードによる接続認証を行うため、意図しない機器が勝手に機器登録処理を行うことはない。
【００８７】
続いて、図８のシーケンスを用いて、本実施形態にかかるモード切替え処理について説明する。この処理は、動作モードを外出モードから通常モードへ切替える場合の処理である。
【００８８】
まず、図４の接続シーケンスにより接続リンクを確立した後、次の処理が行われる。接続要求機器１１０は、動作モードを通常モードへ切替えるために、携帯型記録装置１００へモード変更コマンドを送信する（Ｓ８０１）。この処理は、例えば、接続要求機器１１０において、携帯型記録装置１００の設定用のアプリケーションが実行されることにより行われる。
【００８９】
そして、接続要求機器１１０からモード変更コマンドを受信すると、登録機器テーブル２６１を照会する（Ｓ８０２）。この処理では、例えば、近距離無線通信部１０３において、接続要求機器１１０からのモード変更コマンドの信号を受信し、当該モード変更コマンドに含まれる接続要求機器１１０の機器識別子や変更モード等をモード制御手段２４０へ出力する。さらに、モード制御手段２４０において、アクセス記録手段２６０内の登録機器テーブル２６１を検索し、モード変更コマンドに含まれている機器識別子が存在しているかどうか判定する。当該機器識別子が存在していれば、登録機器と判定し、当該機器識別子が存在していなければ、非登録機器と判定する。
【００９０】
Ｓ８０２において、接続要求機器１１０が非登録機器と判定された場合、接続要求機器１１０へモード変更拒絶を送信する（Ｓ８０３’）。この処理では、例えば、近距離無線通信部１０３において、モード変更拒絶の信号を生成し、当該信号を接続要求機器１１０へ送信する。
【００９１】
Ｓ８０２において、接続要求機器１１０が登録機器と判定された場合、モード情報２６２を更新する（Ｓ８０３）。この処理では、例えば、モード制御手段２４０において、アクセス記録手段２６０内のモード情報２６２に、モード変更コマンドに含まれているモード情報を、上書きする。
【００９２】
その後、実行ステイタスを接続要求機器１１０へ送信する（Ｓ８０４）。この処理では、例えば、モード制御手段２４０において、モード情報を上書きした結果の成功／失敗等の情報を、近距離無線通信部１０３に出力し、近距離無線通信部１０３において、実行ステイタスの信号を生成し、当該信号を接続要求機器１１０へ送信する。
【００９３】
こうして、接続要求機器１１０から、所望の動作モードに切替えることができる。また、外出モードから通常モードへの切替え手順と、通常モードから外出モードへの切替え手順はいずれも同じ手順で行う。
【００９４】
以上のようにして、接続機器の種類（登録／非登録）と装置の動作モードによってアクセス制限を行う外出モードを設けることにより、携帯型記録装置側にはパスワードの入力キーを設けずに、かつ接続要求機器側で面倒なパスワードの入力を行わずに、データ置き場として機能することが可能となり、かつデータの漏洩を防ぐことが可能となる。
【００９５】
例えば、自分の名刺のような公共性の高いデータをパブリックエリアに格納しておくことによって、簡単にデータの配布が行える。また、接続相手の名刺や画像、文書といったデータを認証を行わずに簡単に記録できる一方で、これら取待したデータは、外出モードでは接続認証を行った登録機器からしか読み出すことは出来ない・上書き・削除も出来ないという制限を設けることができるというメリットがある。
【００９６】
発明の実施の形態２．
次に、図９を用いて、本発明の実施の形態２にかかる携帯型記録装置１００のハードウェア構成の一例について説明する。この携帯型記録装置１００は、小型ＨＤＤ９０１、ＲＯＭ９０２、不揮発性メモリ９０３、ＲＡＭ９０４、乾電池９０５、Ｂｌｕｅｔｏｏｔｈモジュール９０６、電源スイッチ９０７及びＬＥＤ９０８から構成されている。
【００９７】
ここでは、小型ＨＤＤ９０１が図２で示したデータ記録手段２２０、ＲＯＭ９０２及び不揮発性メモリ９０３がアクセス記録手段２６０、乾電池９０５が図１で示した電源供給部１０２、Ｂｌｕｅｔｏｏｔｈモジュール９０６が近距離無線通信部１０３、ＬＥＤ９０８が状態表示部１０４として動作する。また、データ管理手段２１０、接続制御手段２５０、機器登録手段２３０、モード制御手段２４０は、ＲＡＭ９０４においてソフトウエアによって実現される。ＲＯＭ９０２には、その他の各種制御を行う制御プログラムが格納されている。
【００９８】
発明の実施の形態３．
次に、図１０を用いて、本発明の実施の形態３にかかる携帯型記録装置１００のハードウェア構成の一例について説明する。この携帯型記録装置１００は、図９で示した構成に加えて、時計設定スイッチ１００１、時計１００２及びスケジュール手段１００３を備えている。
【００９９】
時計１００２及びスケジュール手段１００３を用いて、例えば、毎日規定時刻になったら外出モードに切替えるという動作を行うことができる。
【０１００】
その他の発明の実施の形態．
上述の例では、携帯型記録装置１００と接続要求機器１１０との間は、無線による通信として説明したが、これに限らず、有線による通信とし、例えば、インターネットやイントラネット等を介して接続してもよい。
【図面の簡単な説明】
【０１０１】
【図１】本発明にかかる通信システムの構成図である。
【図２】本発明にかかる携帯型記録装置の構成図である。
【図３】本発明にかかる無線通信接続手順を示すフローチャートである。
【図４】本発明にかかる無線通信接続手順を示すフローチャートである。
【図５】本発明にかかる無線通信接続手順を示すフローチャートである。
【図６】本発明にかかるデータアクセス手順を示すフローチャートである。
【図７】本発明にかかる機器登録手順を示すフローチャートである。
【図８】本発明にかかるモード切替え手順を示すフローチャートである。
【図９】本発明にかかる携帯型記録装置の構成図である。
【図１０】本発明にかかる携帯型記録装置の構成図である。
【符号の説明】
【０１０２】
１００  携帯型記録装置  １０１  制御部  １０２  電源供給部
１０３  近距離無線通信部  １０４  状態表示部  １１０  接続要求機器
２１０  データ管理手段  ２２０  データ記録手段  ２３０  機器登録手段
２４０  モード制御手段  ２５０  接続制御手段  ２６０  アクセス記録手段
２２１  管理テーブル  ２２２  データエリア
２２２１  テンポラリエリア  ２２２２  パブリックエリア
２６１  登録機器テーブル  ２６２  モード情報  ２６３  パスワード情報
【図１】
2005141464.tif 000004
【図２】
2005141464.tif 000005
【図３】
2005141464.tif 000006
【図４】
2005141464.tif 000007
【図５】
2005141464.tif 000008
【図６】
2005141464.tif 000009
【図７】
2005141464.tif 000010
【図８】
2005141464.tif 000011
【図９】
2005141464.tif 000012
【図１０】
2005141464.tif 000013